(57)【要約】      （修正有） 【課題】指輪に記念日や特別の日付を明示可能とするものであり、日付の表示が特に装飾的価値を有する指輪の価値を高めると共にデザイン的にも高度な美的印象を表示させる表示を行なえる指輪の提供。【解決手段】指輪の外周表面に１月から１２月までの月表示を有し、指輪の内周表面に１日から３１日までの日表示を有し、月及び日表示の近傍に宝石を埋め込んで印を付すことによって特定の日を明示できる指輪による。【選択図】図１
0003140538.tif 000002
【実用新案登録請求の範囲】
【請求項１】
指輪の外周表面に１月から１２月までの月表示を有し、指輪の内周表面に１日から３１日までの日表示を有し、月及び日表示の近傍に印を付すことによって指輪に特定の日を明示できることを特徴とする指輪。
【請求項２】
指輪の内周表面に１月から１２月までの月表示を有し、指輪の外周表面に１日から３１日までの日表示を有し、月表示及び日表示の近傍に印を付すことによって指輪に特定の日を明示できることを特徴とする指輪。
【請求項３】
１月から１２月の月表示が英文字による表記よりなることを特徴とする請求項１又は２のいずれかに記載の指輪。
【請求項４】
前記表記が英語の略語のスペルの表記よりなることを特徴とする請求項３記載の指輪。
【請求項５】
指輪の内周表面又は外周表面のいずれか又は双方に年表示を有することを特徴とする請求項１乃至４のいずれかに記載の指輪。
【請求項６】
年表示が西暦によることを特徴とする請求項５に記載の指輪。
【請求項７】
印を付すことが宝石を埋め込むことであることを特徴とする請求項１乃至６のいずれかに記載の指輪。
【請求項８】
宝石に代えて、貴金属或いは模造石又は樹脂材を用いたことを特徴とする請求項７に記載の指輪。
【請求項９】
指輪への表示がレーザー刻印からなることを特徴とする請求項１乃至８のいずれかに記載の指輪。
【請求項１０】
指輪への表示が彫刻器或いは手彫りでの刻印からなることを特徴とする請求項１乃至８のいずれかに記載の指輪。
【請求項１１】
指輪への表示が指輪の外周表面又は内周表面に印刷することによってなされるものであることを特徴とする請求項１乃至８のいずれかに記載の指輪。
【請求項１２】
指輪への表示が指輪の外周表面又は内周表面に該表示のあるシート地を配設することによって行なうことを特徴とする請求項１乃至８のいずれかに記載の指輪。
【考案の詳細な説明】
【技術分野】
【０００１】
本考案は、指輪に関するものであり、より具体的には指輪の表裏面に日付を特定可能な表示を有する指輪に関する。
【背景技術】
【０００２】
従来より、指輪は慶事や弔事或いは他の特別な事柄等を記念に残すためにその贈答時或いは特定の日を具体的に指輪にレーザー刻印などによって表示することは従来より行なわれているものである。
たとえば、最も多く用いられるのが、婚姻に際してその記念日を指輪の裏面にレーザー加工によって刻印する等がある。
この場合、一般的には婚姻の年、月、日を刻印するものである。
【０００３】
又、特別な記念日、例えば誕生日や記念日を指輪の裏面にその年、月、日を刻印することも行なわれるものである。
或いは送り先の氏名と送られる者の氏名のイニシャルなどを刻印することも多用されている。
従って、係る点に鑑み例えば刻印器即ち彫刻器として特開２００６−７７３２号（特許文献１）などがあり、又、特公昭４６−３０１号（特許文献２）や特公昭４６−３０２号（特許文献３）なども存在する。
【特許文献１】特開２００６−７７３２号
【特許文献２】特公昭４６−３０１号
【特許文献３】特公昭４６−３０２号
【考案の開示】
【考案が解決しようとする課題】
【０００４】
以上の様に、指輪の裏面に記念日である年と月と日を表示する指輪は多用されているものである。
しかし、これらは全て指輪の裏側に表示するものであって、指輪のデザイン面での価値を 有するものではない。
特に、特定の日にちを表示するものであって通常時は隠れており、視認しにくいものであると共にほとんどこの日付を明示していることを確認するようなものでもない。
したがって、美的な意味や指輪自体の価値を高めるための意味を持つものなどでは全くなく、日付を記録にとどめるためだけにその表示がなされているものである。
【０００５】
もとより、この日付は慶事や弔事或いは他の特別な事柄等を記念に残すために用いられているものであり、ほぼ慣習的に用いられることから、該表示をこの端に明示してあることにとどまらず指輪自体の価値を高めると共にデザイン的にも高度な美的印象を表示させるための何らかの方策が望まれるものである。
特に日付は慣習的に用いられるものであることから、係る日付表示を指輪の価値を高められる表示として行なうことによってより指輪の重要性や価値が出るものであり、他の指輪との格別な差別化をも可能とするものである。
したがって、係る点に鑑み本考案は前記課題を解決するためになされたものである。
【課題を解決するための手段】
【０００６】
係るため、請求項1に係る考案は、指輪の外周表面に１月から１２月までの月表示を有し、指輪の内周表面に１日から３１日までの日表示を有し、月及び日表示の近傍に印を付すことによって特定の日を明示できる指輪を提供するものであり、係る考案によって前記課題を解決できる。
又、請求項２に係る考案は、指輪の内周表面に１月から１２月までの月表示を有し、指輪の外周表面に１日から３１日までの日表示を有し、月表示及び日表示の近傍に印を付すことによって特定の日を明示できる指輪からなり、係る考案でも同様である。
【０００７】
これらの場合、請求項３に係る考案のように１月から１２月の月表示が英文字による表記よりなる指輪でも、或いは請求項４に係る考案のように前記表記が英語の略語のスペルの表記よりなる指輪を用いてもよい。
更に、請求項５に係る考案のように指輪の内周表面又は外周表面のいずれか又は双方に年表示を有する指輪を用いることによって、年度の特定も可能であり、又、請求項６に係る考案である年表示が西暦による指輪であり、これらの指輪によっても前記課題を解決できる。
【０００８】
又、請求項７に係る考案は、印を付すことが宝石を埋め込むことである指輪からなり、又、請求項８に係る考案は、宝石に代えて、貴金属或いは模造石又は樹脂材を用いた指輪であり、係る指輪によっての特定の日付を示す印とすることができる。
又、請求項９に係る考案は、指輪への表示がレーザー刻印からなる指輪であり、請求項１０に係る考案は指輪への表示が彫刻器或いは手彫りでの刻印から指輪からなり、これ等の指輪であってもよい。
【０００９】
更に請求項１１に係る考案は指輪への表示が指輪外周表面又は内周表面に印刷することによってなされる指輪であり、請求項１２に係る考案は指輪への表示が指輪の外周表面又は内周表面に該表示のあるシート地を配設する指輪であり、これ等の指輪であっても前記課題を解決できるものである。
【考案の効果】
【００１０】
以上のように構成することから、指輪に特定の日付を表示することができるばかりでなく、極めてデザイン的に特殊でかつ価値のある指輪の提供を可能とする。
特に請求項１に係る考案によれば、指輪の外周表面に月表示内周表面に日表示ができ、特定の日を示すことができる。
又、請求項２に係る考案によれば外周表面に日表示を内周表面に月表示が行なえるものとなる。
【００１１】
更に請求項３及び４に係る考案によれば、英語表記或いはこの略語表記によって月表示を行なうことによりデザイン的広がりや多様化を図れ、その価値を高めることができる。
又、請求項５又は６に係る考案によれば、年表記を表示でき、特定の日付をその特定の年度を併せて明示できるものとなる。
【００１２】
更に請求項７又は８に係る考案によれば印として宝石や貴金属或いは模造石、樹脂材を用いることができ、デザイン的な価値を高めることができる。
又、請求項９乃至１２に係る考案によって、各表示をさまざまな手法によって表記できるものであり、その表記毎に夫々独特のデザイン的な価値を示すことができ、指輪の価値を高められるものである。
又、これ等の表記によって特定の日付を指輪に的確に表示できることとなる。
【考案を実施するための最良の形態】
【００１３】
図１は、本考案に係る指輪の最適な一実施例を示す図である。
まず、指輪１の表面即ち外周表面２においては月を表示するスペル２０がレーザー加工によって刻印されているものである。
本図においては、「Ｊａｎ」「Ｆｅｂ」「Ｍａｒ」「Ａｐｒ」「Ｍａｙ」「Ｊｕｎ」「Ｊｕｌ」「Ａｕｇ」「Ｓｅｐ」「Ｏｃｔ」「Ｎｏｖ」「Ｄｅｃ」が順次表示されている。
更に特定の月のスペル部分付近に宝石２１が埋め込まれており、特定の月を示すこととなっている。
【００１４】
従って、夫々１月乃至１２月を示す月表示が明示してあり、該当月には例えばダイヤなどの宝石２１をその近辺に埋め込み表示するものである。
本図では、「Ｄｅｃ」２０の近辺に宝石２１が埋められており１２月であるとことを明示しているものである。
この様に表示すると極めてデザイン性が高く指輪自体に特殊な美観を生じさせることが可能となる。
又、他の指輪との差別化も可能である。
【００１５】
更に指輪１の裏面、即ち内周表面３には、１乃至３１の数字３０が明示されており、特定の日即ち日表示があり、本図では２０日の表示である２０の近辺に宝石３１が埋められている。
この様に表示することにより１２月２０日という特定の日付を明示できるものである。
更に、これ等の文字や数字はデザイン化された表現で表示されているものであり、独特の外観を表示することとなる。
【００１６】
尚、本図は一例であり、例えば表面に「Ｊａｎ」「Ｆｅｂ」「Ｍａｒ」「Ａｐｒ」「Ｍａｙ」「Ｊｕｎ」「Ｊｕｌ」「Ａｕｇ」「Ｓｅｐ」「Ｏｃｔ」「Ｎｏｖ」「Ｄｅｃ」に変えて夫々一月、二月、三月、四月、五月、六月、七月、八月、九月、十月、十一月、十二月を表示する各表示がなされていればよい。
英語等により正確に例えばＪＡＮＵＡＲＹ等による表示や１月という表示などであってもよい。
或いは単に１から１２までの数字が明示されているものであってもよい。
【００１７】
又、アラビヤ数字以外の日表示により１月から１２月を示す表示であっても、或いは日本特有の月を表す表記を用いてもいずれでもよい。
少なくとも１月乃至１２月を示す表記が全てなされていればよい。
次に一の特定の月の近傍に宝石２１が埋め込まれており、該特定の月を明確に示すこととしている。
これによって月を特定できる。
【００１８】
本図構成においては、「Ｄｅｃ」の上方にダイヤモンドが埋め込まれているものであり、１２月を示すものである。
又、その表示は、明朝体やゴシック体などに限らずデザイン化された文字であっても、或いは装飾化した文字であってもよい。
尚、宝石に関しては本図ではダイヤモンドを明示するが、この他、各種宝石等の石類や金や銀或いはプラチナ等の貴金属であってもよい。
或いは模造石や、樹脂材などであってもよい。
【００１９】
そのほか例えばレーザー加工による刻印がなされて、特定の月を認識可能なものであってもよい。
次に、この様に表示する指輪の裏面即ち内周表面３には、更に１から３１までの数字３０がレーザー加工により刻印されており、特定の数字の近傍に更に宝石３１が埋め込まれている。
本図に示す場合には、２０という数字３０の上方に宝石３１が埋め込まれている。
従って２０日を示すものである。
【００２０】
この日付に関しても、１日から３１日までの全ての日を表示する他の方法の表示がなされていればよく、アラビヤ数字などに限らず、他の数字表記であってもよい。
もとよりその文字の表示は一般的な字体であっても或いはデザイン化した字体であっても、装飾化した字体であってもよいのはもちろんである。
又、宝石に関しては同様にダイヤモンドを明示するが、この他、各種宝石等の石類や金や銀或いはプラチナ等の貴金属であってもよく、模造石や樹脂材などであってもよい。
【００２１】
そのほか例えばレーザー加工による刻印がなされて、特定の月を認識可能なものであってもよい。
尚、本図では指輪の表面即ち外周表面２に月表示を示し、裏面即ち指に接触する内周表面３に日表示を示してなるものである。
この表示は逆であってももちろんよい。
即ち外周表面に日付を刻印し、内周表面である裏面に月を表示するものであってもよい。
【００２２】
又、この刻印はレーザー加工による刻印として示すが、これに限定されるものではなく、彫刻器等によって刻印するものであっても、或いは鋳型にて刻印するものであっても、或いは手彫りで刻印するものであってもよい。
或いは刻印ではなく指輪表面に直接印刷するものであったり、又、該表示のあるシート地を貼着などするものであってもよい。
例えばシート地に表示を行ない、これを指輪表面に配設するものでもよいものであり、表示を明示した樹脂製フィルムなどのシート地を指輪に貼着したり、融着したりするものであってもよい。
【００２３】
少なくとも指輪の表面と裏面に前記表示がなされるものであればよい。
更に、本図には示していないが、指輪の表裏面のいずれかに或いは一面に西暦表記や元号表記等によって年度を明示するものであってもよい。
この場合にも特定の年度が判明すればよいものであり、西暦や元号による年の明示或いは他の基準に基づく年或いは時期を特定可能な各種表記をもって表示するものであってもよい。
この様に表記することによって、特定の日を記録することができると共に指輪にその日をしたためることができると共に極めてデザイン化された特殊装飾の印象を表示させることができ、美的価値を飛躍的に高めることができるものである。
【００２４】
次に図２は、指輪１の表面４に日付を表記４０し、裏面５に月を表記５０する一例を示す図である。
この様に表示しても、図１と同様に特定の日を表示できると共にデザイン的な価値を飛躍的に高めることができる。
この場合においても、特定月や日を表示するために該夫々の表記４０、５０の近傍に夫々宝石類４１、５１を埋め込んでいるものである。
【００２５】
更に図３は、指輪１の裏面である内周表面７に西暦として２０００年を意味する表示である「２０００」を表示からなる年表示７２を有するものである。
これによって年度をも特定できることとなる。
尚、この場合においても指輪の外周表面６には月の表示６０と、特定の月の近傍へ埋め込まれた宝石６１を有し、更に内周表面には西暦表記のほか、日付の表示７０と特定の日の近傍への宝石７１の埋め込みがなされているものである。
【００２６】
本図による表示は一例であり、他の表示であってもよく、既に前記したように特定の年度や時期を特定できる表示を有するものであってもよい。
【図面の簡単な説明】
【００２７】
【図１】本考案に係る指輪の一例を示す図
【図２】本考案に係る指輪の他の一例を示す図
【図３】本考案に係る指輪の他の一例を示す図
【符号の説明】
【００２８】
１    指輪
２    外周表面
２０  月表示
２１  宝石
３    内周表面
３０  日表示
３１  宝石
４    外周表面
４０  日表示
４１  宝石
５    内周表面
５０  月表示
５１  宝石
６    外周表面
６０  月表示
６１  宝石
７    内周表面
７０  日表示
７１  宝石
７２  年号表示
【図１】
0003140538.tif 000003
【図２】
0003140538.tif 000004
【図３】
0003140538.tif 000005